(57)【要約】【課題】医療機器をネットワークに接続しなくても、医療機器の外部において医療機器の状態を出力する。【解決手段】機器情報出力システムにおいて、発光装置１４が、医療機器５０に設けられており、医療機器５０（医療機器本体１２）の状態に応じて発光状態を異ならせる発光部２２を有している。また、ビーコン１６が、医療機器に設けられており、発光装置１４が発光する光を受光する照度計３２と、照度計３２の計測結果を示す情報を外部に発信する送信部３４と、を有している。そして、利用者端末は、送信部から発信された情報（照度の計測結果）を受信し、受信した情報に基づいて医療機器本体の状態を特定し、出力する。【選択図】図２
2019091195.tif 000002
【特許請求の範囲】
【請求項１】
機器に設けられ、前記機器の状態に応じて発光状態を異ならせる発光部を有する発光装置と、
前記機器に設けられ、前記発光装置が発光する光を受光する受光部と、前記受光部の受光結果を示す情報を外部に発信する発信部と、を有する通信装置と、
前記発信部から発信された情報を受信し、受信した前記情報に基づいて前記機器の状態を特定し、出力する出力装置と、
を備える機器情報出力システム。
【請求項２】
前記発光部は、前記機器の状態に応じて、照度又は点滅パターンを異ならせることを特徴とする請求項１に記載の機器情報出力システム。
【請求項３】
前記点滅パターンは、前記機器の状態を表す文字列のモールス信号に基づく点滅パターンを含むことを特徴とする請求項２に記載の機器情報出力システム。
【請求項４】
前記点滅パターンは、前記機器の状態を通知すべき対象者を表す点滅パターンを含むことを特徴とする請求項２又は３に記載の機器情報出力システム。
【請求項５】
前記出力装置は、特定した前記機器の状態を表示する、及び／又は、特定した前記機器の状態を他の装置に送信する、ことを特徴とする請求項１〜４のいずれか一項に記載の機器情報出力システム。
【請求項６】
前記発光部と前記受光部は、同一の暗空間内に設けられることを特徴とする請求項１〜５のいずれか一項に記載の機器情報出力システム。
【請求項７】
前記通信装置は、前記機器の電源から給電されることを特徴とする請求項１〜６のいずれか一項に記載の機器情報出力システム。
【請求項８】
前記機器は、ネットワークに接続されていないことを特徴とする請求項１〜７のいずれか一項に記載の機器情報出力システム。
【請求項９】
機器の状態に応じて発光状態を異ならせる発光部を有する機器に設けられ、前記発光部が発光する光を受光する受光部と、前記受光部の受光結果を示す情報を外部に発信する発信部と、を有する通信装置と、
前記発信部から発信された情報を受信し、受信した前記情報に基づいて前記機器の状態を特定し、出力する出力装置と、
を備える機器情報出力システム。
【請求項１０】
機器に設けられた通信装置が、前記機器の状態に応じて発光状態を異ならせる発光部が発光する光を受光し、受光結果を示す情報を外部に発信する工程と、
前記通信装置から発信された情報を受信した出力装置が、受信した前記情報に基づいて前記機器の状態を特定し、出力する工程と、
を含む機器情報出力方法。
【発明の詳細な説明】
【技術分野】
【０００１】
本発明は、機器情報出力システム及び機器情報出力方法に関する。
【背景技術】
【０００２】
病院等の医療機関では、医師や看護師などにより、人工心肺装置、血糖値測定器、輸液装置等の医療機器が利用されている。これらの医療機器は、患者の治療や生体情報の収集などに用いられるものであるため、故障等がないように管理される必要がある。
【０００３】
従来、医療機器と管理サーバとをＬＡＮ（Local Area Network）やインターネットなどのネットワークで接続し、管理サーバで医療機器の情報を取得して管理する技術が知られている（例えば、特許文献１等参照）
【先行技術文献】
【特許文献】
【０００４】
【特許文献１】特開２０１１−１７５５７５号公報
【発明の概要】
【発明が解決しようとする課題】
【０００５】
医療機器には、ネットワークに接続されない機器が多数存在する。また、今後も、ネットワーク接続によるセキュリティ上の問題が発生するのを避けるために、医療機関内ではネットワーク接続されない医療機器が多く利用されると考えられる。
【０００６】
このようなネットワークに接続されない医療機器の利用者は、機器に設けられたランプや液晶画面などで不具合等の発生有無を逐一確認する必要があり、不具合等に気づかなければそのまま機器を利用し続けてしまうおそれがある。また、医療機器がネットワークに接続されていないと、不具合等の情報を管理サーバ等で管理することが難しいため、医療機器メーカが不具合等の発生を正確に把握できないおそれがある。
【０００７】
なお、医療機器にかかわらず、ネットワークに接続されない種々の機器において上記のような課題がある。
【０００８】
１つの側面では、本発明は、機器をネットワークに接続しなくても、機器の外部において機器の状態を出力することが可能な機器情報出力システム及び機器情報出力方法を提供することを目的とする。
【課題を解決するための手段】
【０００９】
一つの態様では、機器情報出力システムは、機器に設けられ、前記機器の状態に応じて発光状態を異ならせる発光部を有する発光装置と、前記機器に設けられ、前記発光装置が発光する光を受光する受光部と、前記受光部の受光結果を示す情報を外部に発信する発信部と、を有する通信装置と、前記発信部から発信された情報を受信し、受信した前記情報に基づいて前記機器の状態を特定し、出力する出力装置と、を備えている。
【発明の効果】
【００１０】
機器をネットワークに接続しなくても、機器の外部において機器の状態を出力することができる。
【図面の簡単な説明】
【００１１】
【図１】一実施形態に係る機器情報出力システムの構成を概略的に示す図である。
【図２】図２（ａ）は、医療機器のハードウェア構成を示す図であり、図２（ｂ）は、利用者端末のハードウェア構成を示す図である。
【図３】サーバのハードウェア構成を示す図である。
【図４】利用者端末及びサーバの機能ブロック図である。
【図５】発光装置が有する発光部の回路図を概略的に示す図である。
【図６】図６（ａ）は、制御テーブルのテーブル構造の一例を示す図であり、図６（ｂ）は、状態テーブルのテーブル構造の一例を示す図であり、図６（ｃ）は、機器テーブルのテーブル構造の一例を示す図である。
【図７】図７（ａ）、図７（ｂ）は、点滅パターンの一例を示す図である。
【図８】図８（ａ）は、発光装置の処理を示すフローチャートであり、図８（ｂ）は、ビーコンの処理を示すフローチャートである。
【図９】図９（ａ）は、利用者端末の処理を示すフローチャートであり、図９（ｂ）は、サーバの処理を示すフローチャートである。
【図１０】機器状態履歴ＤＢのデータ構造の一例を示す図である。
【発明を実施するための形態】
【００１２】
以下、機器情報出力システムの一実施形態について、図１〜図１０に基づいて詳細に説明する。
【００１３】
図１には、一実施形態に係る機器情報出力システム１００の構成が概略的に示されている。図１に示すように、機器情報出力システム１００は、複数の医療機器５０と、医師や看護師などの医療機器５０の利用者が携帯する出力装置としての利用者端末７０と、医療機器メーカが利用するサーバ１０とを備える。利用者端末７０とサーバ１０とは、ＬＡＮやインターネットなどのネットワーク８０に接続されている。
【００１４】
医療機器５０は、例えば、心肺装置、輸液ポンプ、シリンジポンプ等の輸液装置、血管内を測定する超音波イメージング装置、血管内を測定する赤外線イメージング装置、血糖値測定器等である。医療機器５０には、持ち運び可能な機器も含まれる。図２（ａ）には、医療機器５０のハードウェア構成が概略的に示されている。図２（ａ）に示すように、医療機器５０は、医療機器本体１２と、発光装置１４と、通信装置としてのビーコン１６と、を有する。
【００１５】
医療機器本体１２は、医療機器５０の大部分を占め、医療機器５０の機能を実現する部分である。なお、医療機器本体１２は、ネットワーク８０には接続されていないものとする。
【００１６】
発光装置１４は、医療機器本体１２が有するプリント基板に実装される装置であり、医療機器本体１２の状態に応じて発光状態を異ならせる装置である。発光装置１４は、医療機器本体１２の電源から給電を受ける。発光装置１４は、発光部２２と、制御部２４と、制御テーブル２６とを備える。発光部２２は、ＬＥＤ（light emitting diode）などを含み、制御部２４の制御の下、発光状態（明るさ又は点滅パターン）を変更する。制御部２４は、ＣＰＵ（Central Processing Unit）、ＲＯＭ（Read Only Memory）、ＲＡＭ（Random Access Memory）等を含み、医療機器本体１２の状態を取得し、取得した状態に基づいて、発光部２２を制御する。制御部２４は、発光部２２の制御の際に制御テーブル２６（図６（ａ））を参照する。なお、発光部２２の構成や制御部２４の処理内容、制御テーブル２６のテーブル構造など、発光装置１４の詳細については、後述する。
【００１７】
ビーコン１６は、医療機器本体１２が有するプリント基板に実装され、医療機器本体１２の電源から給電を受ける装置である。ビーコン１６は、図２（ａ）に示すように、受光部としての照度計３２と、発信部としての送信部３４と、を有する。照度計３２は、発光部２２と同一の暗空間内に設けられているものとする。したがって、照度計３２は、外部環境の影響を受けずに、発光部２２の発光状態（明るさ又は点滅パターン）を精度よく検出することができる。送信部３４は、例えば、近距離無線通信を介して、近傍に存在する利用者端末７０に対して、照度計３２の計測結果を所定時間（例えば、１秒や２００ｍ秒）ごとに送信する。なお、所定時間は、発光部２２の点滅パターンにおける点滅間隔のうち最も短い点滅間隔と同一の時間（１単位秒）である。なお、近距離通信は、通信エリアが狭い無線通信であり、例えば、Bluetooth（登録商標）等に基づく無線通信であるものとする。なお、ビーコン１６は、照度計３２以外のセンサ（例えば、温度センサ、湿度センサ、気圧センサ、加速度センサ、地磁気センサ等）を有していてもよい。
【００１８】
上述したように、本実施形態の医療機器５０は、照度計３２の計測結果を外部（周囲数ｍの範囲）に送信することはできるものの、ネットワーク８０とは接続されていないため、ネットワーク８０を介した医療機器本体１２への外部からのアクセスはできない。このため、医療機器本体１２は、セキュリティ上の安全性が確保されているといえる。
【００１９】
図１に戻り、利用者端末７０は、医師や看護師などが携帯するスマートフォンやタブレット型端末、ノート型ＰＣ（Personal Computer）などの端末である。図２（ｂ）には、利用者端末７０のハードウェア構成が示されている。図２（ｂ）に示すように、利用者端末７０は、ＣＰＵ１９０、ＲＯＭ１９２、ＲＡＭ１９４、記憶部（ここではＨＤＤ（Hard Disk Drive））１９６、ネットワークインタフェース１９７、表示部１９３、入力部１９５、ビーコン受信部１８９、及び可搬型記憶媒体用ドライブ１９９等を備えている。これら利用者端末７０の構成各部は、バス１９８に接続されている。表示部１９３は、液晶ディスプレイ等であり、入力部１９５は、キーボードやマウス、タッチパネル等を含む。利用者端末７０では、ＲＯＭ１９２あるいはＨＤＤ１９６に格納されているプログラム（アプリ）、或いは可搬型記憶媒体用ドライブ１９９が可搬型記憶媒体１９１から読み取ったプログラム（アプリ）をＣＰＵ１９０が実行することにより、図４に示す、各部としての機能が実現される。
【００２０】
図４に示すように、利用者端末７０は、ＣＰＵ１９０がプログラムを実行することにより、データ取得部１５０、分析部１５２、表示制御部１５４、及び送信部１５６として機能する。なお、図４には、利用者端末７０のＨＤＤ１９６等に格納されている機器テーブル１６０及び状態テーブル１６２も図示されている。
【００２１】
データ取得部１５０は、周囲数ｍの範囲内に存在するビーコン１６から送信されてくるデータを取得し、分析部１５２に受け渡す。より具体的には、データ取得部１５０は、所定時間（例えば、１秒や２００ｍ秒）ごとに、照度計３２の計測結果（照度）を取得し、分析部１５２に受け渡す。
【００２２】
分析部１５２は、データ取得部１５０が取得したデータを分析する。より具体的には、分析部１５２は、取得したデータから、医療機器本体１２が利用できる状態であるか利用できない状態であるかを判断する。医療機器本体１２が利用できる状態とは、エラーが発生せずに正常に利用できる状態のほか、多少のエラーが発生するものの調整等すれば正常に利用できる状態も含む。また、分析部１５２は、医療機器本体１２が利用できない状態である場合には、取得したデータが利用者向けの情報であるか、医療機器メーカ向けの情報であるかを判断する。分析部１５２は、取得したデータが、医療機器メーカ向けの情報である場合には、送信部１５６に受け渡し、その他の場合には、表示制御部１５４に受け渡す。
【００２３】
表示制御部１５４は、分析部１５２から取得した情報を表示部１９３上に表示する。送信部１５６は、分析部１５２から取得した情報（医療機器メーカ向けの情報）を、ネットワーク８０を介してサーバ１０に送信する。
【００２４】
図１に戻り、サーバ１０は、医療機器メーカが各医療機器の状態を監視するために用いる装置であり、医療機器メーカのデータセンタ等に設置される。図３には、サーバ１０のハードウェア構成が示されている。図３に示すように、サーバ１０は、ＣＰＵ９０、ＲＯＭ９２、ＲＡＭ９４、記憶部（ＨＤＤ）９６、ネットワークインタフェース９７、表示部９３、入力部９５、及び可搬型記憶媒体用ドライブ９９等を備えている。これらサーバ１０の構成各部は、バス９８に接続されている。表示部９３は、液晶ディスプレイ等であり、入力部９５は、キーボードやマウス、タッチパネル等を含む。サーバ１０では、ＲＯＭ９２あるいはＨＤＤ９６に格納されているプログラム、或いは可搬型記憶媒体用ドライブ９９が可搬型記憶媒体９１から読み取ったプログラムをＣＰＵ９０が実行することにより、図４に示す、各部としての機能が実現される。
【００２５】
図４に示すように、サーバ１０は、ＣＰＵ９０がプログラムを実行することにより、受信部４０、表示制御部４４、及び格納部４６として機能する。なお、図４には、サーバ１０のＨＤＤ９６等に格納されている機器状態履歴ＤＢ６４も図示されている。
【００２６】
受信部４０は、利用者端末７０の送信部１５６から送信されてくる情報を受信し、表示制御部４４及び格納部４６に受け渡す。表示制御部４４は、受信部４０が受信した情報を表示部９３上に表示する。格納部４６は、受信部４０が受信した情報を機器状態履歴ＤＢ６４に格納する。なお、機器状態履歴ＤＢ６４の詳細については後述する。
【００２７】
（発光装置１４について）
次に、発光装置１４の詳細について、図５等に基づいて説明する。
【００２８】
図５には、発光装置１４が有する発光部２２の回路図が概略的に示されている。図５に示すように、発光部２２は、ＬＥＤ２１と、ＬＥＤ２１に直列接続された複数（図５では４つ）の抵抗Ｒ１〜Ｒ４と、複数（図５では４つ）のトランジスタＴＲ１〜ＴＲ４と、を有する。なお、図５では、発光部２２が、４つの抵抗及びトランジスタを有する場合について図示しているが、これに限られるものではない。
【００２９】
各トランジスタＴＲ１〜ＴＲ４に対する制御部２４からの入力（CMOS I/O）がLowの場合、ベース−エミッタ間に電圧は加わらず、トランジスタがＯＦＦとなる。一方、各トランジスタＴＲ１〜ＴＲ４に対する制御部２４からの入力（CMOS I/O）がHighの場合、ベース−エミッタ間に電圧が加わり、トランジスタがＯＮとなる。したがって、制御部２４が、例えばCMOS I/O_1をHigh、その他をLowとすると、図５に示す（１）の電流方向に電流が流れる。この場合、ＬＥＤ２１を流れる電流Ｉは、Ｉ＝ＤＣ／Ｒ１となる。
【００３０】
また、制御部２４が、CMOS I/O_1及びCMOS I/O_2をHigh、その他をLowとすると、図５に示す（２）の電流方向に電流が流れるため、ＬＥＤ２１を流れる電流Ｉは、Ｉ＝ＤＣ／（Ｒ１＋Ｒ２）となる。また、制御部２４が、CMOS I/O_1、CMOS I/O_2及びCMOS I/O_3をHigh、CMOS I/O_4をLowとすると、図５に示す（３）の電流方向に電流が流れるため、ＬＥＤ２１の電流Ｉは、Ｉ＝ＤＣ／（Ｒ１＋Ｒ２＋Ｒ３）となる。更に、CMOS I/O_1〜CMOS I/O_4をHighとすると、図５に示す（４）の電流方向に電流が流れるため、ＬＥＤ２１の電流Ｉは、Ｉ＝ＤＣ／（Ｒ１＋Ｒ２＋Ｒ３＋Ｒ４）となる。この場合、ＬＥＤ２１の明るさは、（１）、（２）、（３）、（４）の順に暗くなる。なお、抵抗及びトランジスタの数を増やせば、その分だけＬＥＤ２１の明るさを段階的に変更することが可能である。
【００３１】
制御部２４は、医療機器本体１２の状態を取得し、取得した状態が、利用者が利用できる状態である場合には、図６（ａ）に示す制御テーブル２６を参照して、各トランジスタへの入力を制御し、ＬＥＤ２１の明るさを調整する。ここで、制御テーブル２６は、図６（ａ）に示すように、医療機器本体１２の各状態に対応して、各トランジスタへの入力（High又はLow）が定義されている。なお、制御テーブル２６の「状態」に格納される「状態１」、「状態２」、…は、「正常」や、「点検期日の到来」、各種軽微なエラーの名称などであるものとする。
【００３２】
また、制御部２４は、取得した医療機器本体１２の状態が、利用者が利用できない状態である場合には、トランジスタＴＲ１以外への入力をLowで維持し、トランジスタＴＲ１のみへの入力をHigh／Lowで切り替えることで、ＬＥＤ２１を照度が最大（照度ＭＡＸ）な状態と消灯した状態とで切り替え（１／０で切り替え）、点滅させる。より具体的には、制御部２４は、医療機器５０（医療機器本体１２）が利用できない状態である場合に、ＡＩ（artificial intelligence）機能を用いて医療機器本体１２の状態（例えば、流量異常、ノンフロー、液漏れなど）や時刻情報などを自然言語（テキスト）で表現するとともに、自然言語をモールス信号化し、モールス信号の通りに発光部２２が発光するように、点滅パターンを生成する。
【００３３】
図７（ａ）、図７（ｂ）には、モールス信号の一例が示されている。図７（ａ）は、利用者向けの情報の例を示し、図７（ｂ）は、管理者向けの情報の例を示している。
【００３４】
図７（ａ）、図７（ｂ）において、各ブロックは、１単位秒（例えば、１秒や２００ｍ秒）を示し、ハッチングを付して示すブロックがＯＮ（発光）、空白のブロックがＯＦＦ（消灯）を示している。図７（ａ）に示すように、利用者向けの情報のヘッダには、４単位秒間のＯＮがあり、図７（ｂ）に示すように、管理者向けの情報のヘッダには、５単位秒間のＯＮがある。また、モールス信号の「トン」が１単位秒間のＯＮで表され、「ツー」が３単位秒間のＯＮで表される。また、文字と文字の間は、３単位秒のＯＦＦで表される。
【００３５】
（処理について）
次に、発光装置１４、ビーコン１６、利用者端末７０及びサーバ１０の処理について図８（ａ）〜図９（ｂ）のフローチャートに沿って、その他図面を適宜参照しつつ説明する。
【００３６】
（発光装置１４の処理について）
図８（ａ）は、発光装置１４の処理を示すフローチャートである。図８（ａ）の処理は、例えば医療機器５０の電源がＯＮにされたタイミングで実行される処理であるものとする。図８（ａ）の処理が開始されると、まずステップＳ１０において、制御部２４が、医療機器本体１２の状態を取得する。この場合、制御部２４は、医療機器本体１２が利用できる状態であるかどうかの情報や、医療機器本体１２に発生しているエラーの情報を取得する。
【００３７】
次いで、ステップＳ１２では、制御部２４が、医療機器本体１２を利用できない状態か否かを判断する。このステップＳ１２の判断が否定された場合、すなわち医療機器本体１２を利用できる状態である場合には、ステップＳ１４に移行する。
【００３８】
ステップＳ１４に移行すると、制御部２４が、制御テーブル２６（図６（ａ））に基づいて、発光部２２の明るさを制御する。具体的には、制御部２４は、制御テーブル２６を参照し、医療機器本体１２の状態に合わせて、各トランジスタに対する入力（CMOS I/O_1、CMOS I/O_2、…）を制御する。
【００３９】
一方、ステップＳ１２の判断が肯定された場合、すなわち、医療機器本体１２が利用できない状態である場合には、ステップＳ１６に移行する。ステップＳ１６では、制御部２４が、医療機器本体１２の状態を自然言語で記述し、モールス信号化して、モールス信号の通りに発光部２２が発光するように点滅パターンを決定する（図７（ａ）、図７（ｂ）参照）。なお、制御部２４は、医療機器本体１２の状態毎に、利用者向けに情報を送信するか、医療メーカ向けに情報を送信するかを定義したテーブルを保持しており、該テーブルに基づいて点滅パターンのヘッダを決定するものとする。
【００４０】
次いで、ステップＳ１８では、制御部２４が、決定した点滅パターンで発光部２２を制御する。なお、発光部２２による点滅パターンに従った点滅は繰り返されるようになっている。
【００４１】
（ビーコン１６の処理について）
次に、ビーコン１６の処理について、図８（ｂ）のフローチャートに沿って説明する。なお、図８（ｂ）の処理も、図８（ａ）の処理と同様、例えば医療機器５０の電源がＯＮにされたタイミングで実行されるものとする。
【００４２】
図８（ｂ）においては、まずステップＳ２０において、送信部３４が、１単位秒経過するまで待機する。１単位秒経過すると、ステップＳ２２に移行する。
【００４３】
ステップＳ２２に移行すると、送信部３４は、照度計３２の計測結果を取得し、外部に発信する。その後は、送信部３４は、ステップＳ２０及びＳ２２を繰り返し実行することになる。これにより、ビーコン１６からは、１単位秒ごとに発光部２２の明るさ（照度）が周辺に存在する利用者端末７０に対して送信されることになる。このようにすることで、ビーコン１６の発信タイミングを、発光部２２の点滅パターンと同期させることができるので、周辺に存在する利用者端末７０に対して医療機器本体１２の状態を正確に伝達することができる。
【００４４】
（利用者端末７０の処理について）
次に、利用者端末７０の処理について、図９（ａ）のフローチャートに沿って、詳細に説明する。
【００４５】
図９（ａ）の処理では、まず、ステップＳ３０において、データ取得部１５０が、ビーコン１６からデータを受信するまで待機する。利用者端末７０が近傍（周囲数ｍの範囲）に存在するビーコン１６からデータを受信すると、ステップＳ３２に移行する。なお、ビーコン１６からは、１単位秒ごとに計測結果（照度）が送られてくるため、データ取得部１５０では、計測結果を１単位秒ごとに取得することができる。
【００４６】
ステップＳ３２に移行すると、分析部１５２が、照度がＭＡＸ又は０であるか否かを判断する。このステップＳ３２の判断が肯定される場合とは、ビーコン１６から発信されているデータがモールス信号である場合、すなわち医療機器本体１２を利用できない状態にある場合である。一方、ステップＳ３２の判断が否定される場合とは、医療機器本体１２を利用できる状態にある場合である。ステップＳ３２の判断が否定された場合には、ステップＳ３４に移行する。
【００４７】
ステップＳ３４に移行すると、分析部１５２が、状態テーブル１６２に基づいて、状態を特定する。ここで、状態テーブル１６２は、図６（ｂ）に示すようなテーブルである。具体的には、状態テーブル１６２は、医療機器本体１２の状態と、照度とを対応付けたテーブルである。したがって、分析部１５２は、ビーコン１６から受信した計測結果（照度）と合致する状態を、状態テーブル１６２から特定する。なお、ビーコン１６から送信されるデータには、ビーコンの識別情報（ビーコンＩＤ）が含まれている。したがって、分析部１５２は、ビーコンＩＤを機器テーブル１６０（図６（ｃ）参照）と照合することで、どの機器（機器ＩＤ、機器名）の状態であるかを特定することができる。なお、機器テーブル１６０は、図６（ｃ）に示すように、ビーコンＩＤと、ビーコン１６が設けられた医療機器５０の情報（機器ＩＤ及び機器名）とを対応付けて格納するテーブルである。
【００４８】
次いで、ステップＳ３６では、表示制御部１５４が、特定した状態を表示部１９３上に表示する。この場合、表示制御部１５４は、どの機器（機器ＩＤや機器名）が、どのような状態であるかを医師や看護師が判別できるような画面を生成し、表示部１９３に表示する。これにより、医師や看護師は、利用者端末７０において、医療機器５０（医療機器本体１２）の状態を知ることができる。その後はステップＳ３０に戻る。
【００４９】
一方、ステップＳ３２の判断が肯定されると、ステップＳ３８に移行する。ステップＳ３８では、分析部１５２は、図７(ａ)、図７（ｂ）に示すヘッダ（利用者向け情報やメーカ向け情報を定義する部分）を２度受信できるまで待機し、２度受信できた段階で、ヘッダを１回目に受信してから２回目を受信するまでの間の点滅パターン（モールス信号）から自然言語を復元する。
【００５０】
次いで、ステップＳ４０では、分析部１５２が、ヘッダに基づいて、自然言語に復元した情報が、利用者向け情報であるか否かを判断する。このステップＳ４０の判断が肯定された場合には、ステップＳ４２に移行し、表示制御部１５４が、復元した自然言語を表示部１９３に表示する。これにより、医師や看護師は、医療機器５０を利用できない場合に、医療機器５０（医療機器本体１２）の詳細な状態を利用者端末７０において知ることができる。その後は、ステップＳ３０に戻る。一方、ステップＳ４０の判断が否定されると、ステップＳ４４に移行し、送信部１５６が、復元した自然言語をサーバ１０に送信する。その後は、ステップＳ３０に戻る。
【００５１】
なお、ステップＳ３０に戻った後は、上述した処理を繰り返す。ただし、直前に得られた情報が再度得られたような場合には、表示制御部１５４は、表示部１９３の表示をそのまま継続する。また、この場合には、送信部１５６は、サーバ１０に対して情報を送信しないようにしてもよい。
【００５２】
（サーバ１０の処理について）
次に、図９（ｂ）のフローチャートに沿って、サーバ１０の処理について説明する。
【００５３】
図９（ｂ）の処理が開始されると、まずステップＳ５０において、受信部４０が、利用者端末７０から情報を受信するまで待機する。利用者端末７０から情報を受信すると、ステップＳ５２に移行し、受信部４０は、格納部４６に対して受信した情報を受け渡し、格納部４６が情報を機器状態履歴ＤＢ６４に格納する。ここで、機器状態履歴ＤＢ６４は、一例として、図１０に示すようなデータ構造を有する。具体的には、機器ＩＤ、機器名、日時、状態などの情報を格納できるようになっており、利用者端末７０から送信されてきた情報を格納し、管理することができるようになっている。医療機器メーカでは、機器状態履歴ＤＢ６４に基づいてエラーの出現傾向などを分析し、機器状態の把握、故障原因の特定、定期点検の判断、製品開発等に役立てることができる。
【００５４】
次いで、ステップＳ５４では、受信部４０が、表示制御部４４に情報を受け渡し、表示制御部４４は、受信した情報を表示部９３上に表示する。これにより医療機器メーカの従業員は、表示部９３を閲覧することで、メンテナンスが必要な機器をテキストから早急に判断することができる。その後は、ステップＳ５０に戻る。なお、ステップＳ５２、Ｓ５４の処理順は逆であってもよいし、ステップＳ５２、Ｓ５４を同時に実行してもよい。
【００５５】
以上、詳細に説明したように、本実施形態の機器情報出力システム１００では、医療機器５０に設けられた発光装置１４は、医療機器５０（医療機器本体１２）の状態に応じて発光状態を異ならせる発光部２２を有している。また、医療機器５０に設けられたビーコン１６は、発光装置１４が発光する光を受光する照度計３２と、照度計３２の計測結果を示す情報を外部に発信する送信部３４と、を有している。そして、利用者端末７０は、送信部３４から発信された情報（照度の計測結果）を受信し、受信した情報に基づいて医療機器本体１２の状態を特定し、出力する。これにより、本実施形態では、医療機器５０をネットワークに接続しなくても、医療機器５０の状態を示す情報を利用者端末７０に送信することができるので、利用者端末７０で医療機器５０の状態を表示することで、医師や看護師は医療機器５０の状態を容易に確認することができるようになる。また、利用者端末７０が医療機器メーカのサーバ１０に医療機器５０の状態を示す情報を送信することで、医療機器メーカにおいて医療機器５０の状態を遠隔監視することができるようになる。また、サーバ１０の機器状態履歴ＤＢ６４において医療機器５０の状態を管理し、分析することで製品開発に役立てることが可能となる。
【００５６】
また、本実施形態では、発光部２２は、医療機器本体１２の状態に応じて、照度を異ならせたり、点滅パターンを異ならせることとしている。これにより、本実施形態のように、医療機器５０を利用できる場合に、医療機器本体１２の状態を照度で表し、医療機器５０を利用できない場合に、医療機器本体１２の状態を点滅パターンで詳細に表すなどすることができる。
【００５７】
また、本実施形態では、点滅パターンは、医療機器本体１２の状態を表す文字列のモールス信号に基づく点滅パターンを含んでいる。これにより、医療機器本体１２の状態を自然言語で表し、自然言語をモールス信号化して、利用者端末７０に送信することができるので、利用者端末７０において点滅パターンから医療機器本体１２の状態を示す自然言語を容易に復元することができる。
【００５８】
また、本実施形態では、点滅パターンは、医療機器本体１２の状態を通知すべき対象者を表す点滅パターン（図７（ａ）、図７（ｂ）のヘッダ参照）を含んでいる。これにより、利用者端末７０において表示すべき情報と、サーバ１０に送信すべき情報とを区別することができる。
【００５９】
また、本実施形態では、発光部２２と照度計３２が、同一の暗空間内に設けられる。これにより、外部環境の影響を受けずに、医療機器本体１２の状態を利用者端末７０に対して送信することができる。
【００６０】
また、本実施形態では、ビーコン１６は、医療機器本体１２の電源から給電を受けるため、ビーコン１６の電池交換が不要であり、利便性が向上する。
【００６１】
また、本実施形態では、医療機器５０は、ネットワークに接続されていないため、外部からの侵入のおそれがなく、セキュリティ上の安全を確保することができる。
【００６２】
なお、上記実施形態では、医療機器本体１２を利用できない場合に、発光部２２の点滅を、照度ＭＡＸな状態と、消灯状態との切り替えにより実現する場合について説明したが、これに限られるものではない。すなわち、所定の第１照度と、第１照度とは異なる第２照度との切り替えにより発光部２２の点滅（１／０の信号）を実現するようにしてもよい。また、同じ点滅パターンであっても照度を異ならせることで、緊急度や重要度などの意味合いを異ならせるようにしてもよい。
【００６３】
なお、上記実施形態では、発光部２２の照度を異ならせる場合と、発光部２２の点滅パターンを異ならせる場合とを併用する場合について説明したが、これに限られるものではない。発光部２２の照度を異ならせるのみであってもよいし、発光部２２の点滅パターンを異ならせるのみであってもよい。
【００６４】
なお、上記実施形態では、点滅パターンがモールス信号である場合について説明したが、これに限られるものではない。例えば、医療機器本体１２の状態ごとに点滅パターンを決めておき、医療機器本体１２の状態に応じた点滅パターンで発光部２２を点滅させるようにしてもよい。
【００６５】
なお、上記実施形態では、利用者端末７０の分析部１５２が分析した結果を送信部１５６がサーバ１０に送信する場合について説明したが、これに限られるものではない。例えば、利用者端末７０において医療機器メーカ向けの情報を受信した場合には、モールス信号の情報をそのままサーバ１０に送信することとしてもよい。この場合、サーバ１０内でモールス信号から自然言語を復元するようにすればよい。
【００６６】
なお、上記実施形態においては、利用者向けの情報についても利用者端末７０からサーバ１０に送信することとしてもよい。この場合、サーバ１０は、利用者向けの情報を機器状態履歴ＤＢ６４に格納しておき、適宜、故障予知等に用いることとしてもよい。
【００６７】
なお、ビーコン１６が、照度計３２以外のセンサ（例えば、温度センサ、湿度センサ、気圧センサ、加速度センサ、地磁気センサ等）を有している場合には、これらのセンサによる計測結果を利用者端末７０に送信することとしてもよい。利用者端末７０では、照度計３２の計測結果のほか、上記センサの計測結果を更に考慮して医療機器５０の状態を判定し、表示部１９３上に表示等することとしてもよい。
【００６８】
なお、上記実施形態では、利用者端末７０において、ビーコン１６から発信される情報を受信する場合について説明したが、これに限られるものではない。例えば、病室等に設置されたゲートウェイ装置においてビーコン１６から発信される情報を受信するようにしてもよい。この場合、ゲートウェイ装置が、ネットワークを介してサーバや利用者端末に情報を送信してもよい。また、ゲートウェイ装置からサーバに情報を送信した場合、サーバから利用者端末に対して情報を送信するようにしてもよい。
【００６９】
なお、上記実施形態では、発光装置１４やビーコン１６が搭載される機器が医療機器５０である場合について説明したが、これに限られるものではない。例えば、複合機や自動車など様々な機器に搭載することができる。
【００７０】
なお、上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【００７１】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【００７２】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００７３】
上述した実施形態は本発明の好適な実施の例である。但し、これに限定されるものではなく、本発明の要旨を逸脱しない範囲内において種々変形実施可能である。
【００７４】
なお、以上実施形態の説明に関して、更に以下の付記を開示する。
（付記１）  機器に設けられ、前記機器の状態に応じて発光状態を異ならせる発光部を有する発光装置と、
前記機器に設けられ、前記発光装置が発光する光を受光する受光部と、前記受光部の受光結果を示す情報を外部に発信する発信部と、を有する通信装置と、
前記発信部から発信された情報を受信し、受信した前記情報に基づいて前記機器の状態を特定し、出力する出力装置と、
を備える機器情報出力システム。
（付記２）  前記発光部は、前記機器の状態に応じて、照度又は点滅パターンを異ならせることを特徴とする付記１に記載の機器情報出力システム。
（付記３）  前記点滅パターンは、前記機器の状態を表す文字列のモールス信号に基づく点滅パターンを含むことを特徴とする付記２に記載の機器情報出力システム。
（付記４）  前記点滅パターンは、前記機器の状態を通知すべき対象者を表す点滅パターンを含むことを特徴とする付記２又は３に記載の機器情報出力システム。
（付記５）  前記出力装置は、特定した前記機器の状態を表示する、及び／又は、特定した前記機器の状態を他の装置に送信する、ことを特徴とする付記１〜４のいずれかに記載の機器情報出力システム。
（付記６）  前記発光部と前記受光部は、同一の暗空間内に設けられることを特徴とする付記１〜５のいずれかに記載の機器情報出力システム。
（付記７）  前記通信装置は、前記機器の電源から給電されることを特徴とする付記１〜６のいずれかに記載の機器情報出力システム。
（付記８）  前記機器は、ネットワークに接続されていないことを特徴とする付記１〜７のいずれかに記載の機器情報出力システム。
（付記９）  機器の状態に応じて発光状態を異ならせる発光部を有する機器に設けられ、前記発光部が発光する光を受光する受光部と、前記受光部の受光結果を示す情報を外部に発信する発信部と、を有する通信装置と、
前記発信部から発信された情報を受信し、受信した前記情報に基づいて前記機器の状態を特定し、出力する出力装置と、
を備える機器情報出力システム。
（付記１０）  機器に設けられた通信装置が、前記機器の状態に応じて発光状態を異ならせる発光部が発光する光を受光し、受光結果を示す情報を外部に発信する工程と、
前記通信装置から発信された情報を受信した出力装置が、受信した前記情報に基づいて前記機器の状態を特定し、出力する工程と、
を含む機器情報出力方法。
（付記１１）  前記発光状態は、照度又は点滅パターンである付記１０に記載の機器情報出力方法。
（付記１２）  前記出力する工程では、特定した前記機器の状態を表示する、及び／又は、特定した前記機器の状態を他の装置に送信する、ことを特徴とする付記１０又は１１に記載の機器情報出力方法。
【符号の説明】
【００７５】
１４  発光装置
１６  ビーコン（通信装置）
２２  発光部
３２  照度計（受光部）
３４  送信部（発信部）
５０  医療機器（機器）
７０  利用者端末（出力装置）
１００  機器情報出力システム
【図１】
2019091195.tif 000003
【図２】
2019091195.tif 000004
【図３】
2019091195.tif 000005
【図４】
2019091195.tif 000006
【図５】
2019091195.tif 000007
【図６】
2019091195.tif 000008
【図７】
2019091195.tif 000009
【図８】
2019091195.tif 000010
【図９】
2019091195.tif 000011
【図１０】
2019091195.tif 000012